(57)【特許請求の範囲】
【請求項１】
運搬用台車に立設した左右の棚支持枠体間の横部材に差し渡し状態に載置される棚板であって、所定の長さ及び幅を有する板部材と、この板部材の長手方向の両端に相当する小口に装着されたカバー部材を備え、前記カバー部材の下面には前記板部材の幅方向に延在する所定高さの一対の突条を前記板部材の長手方向に前記横部材の太さより十分大きい所定の間隔離して平行に設け、前記一対の突条のうち、内側突条の先端に外側方向へ水平に延在する係止片を設け、前記一対の突条のうち、外側突条の先端に外側方向へ水平に延在する係止片を設け、
前記両突条間に位置する前記カバー部材の下面箇所には内側の突条から外側の突条方向に伸びる案内用段部を設け、前記案内用段部と前記外側突条間に位置する前記カバー部材の下面箇所には前記横部材と係合する係合部を設けた、ことを特徴とする棚板。
【請求項２】
前記カバー部材の上面の両端箇所に前記内側突条と同一高さの平積み用設置片をそれぞれ設けたことを特徴とする請求項１記載の棚板。
【請求項３】
前記カバー部材の長手方向と直角な端面の両端箇所に前記外側突条の係止片と同一長さの設置片をそれぞれ設けたことを特徴とする請求項１又は２記載の棚板。
【発明の詳細な説明】
【０００１】
【発明の属する技術分野】
本発明は、スーパマーケットやディスカウント店等において、商品を積載して所定の場所へ搬送したり、あるいは商品を積載したまま保管し、陳列したりする時のストックカート（運搬用台車）等に使用される棚板に関する。
【０００２】
【従来の技術】
従来、この種のストックカートに使用される棚板としては、図１２に示す構造のものが知られている。
この図１２において、棚板１１０は、金属板材からなる所定の長さ、幅及び厚さを有する板部材１１１と、この板部材１１１の長手方向の両端に相当する小口に装着された合成樹脂製のカバー部材１１２を備えている。このカバー部材１１２は、カバー部材１１２及び板部材１１１を厚さ方向に貫通する止め具１１３とカバー部材１１２の下面側から止め具１１３にねじ込まれるタッピングねじ（図示省略）で複数箇所で締め付けることにより板部材１１１に固定される構成になっている。
また、上記カバー部材１１２の下面には、カバー部材１１２を図示省略したストックカートの左右の棚支持枠体間に離脱することなく安定に保持するために、板部材１１１の幅方向に延在する一対の突条１１４、１１５が板部材１１１の長手方向に所定間隔離して平行に突設されている。そして、外側の突条１１４の突出高さは内側の突条１１５の突出高さより高くなっている。また、突条１１４と１１５間の間隔は、図１３に示すように、図示省略したストックカートの棚支持枠体における横部材１１６の太さに合わせて設定されている。
【０００３】
【発明が解決しようとする課題】
しかしながら、上記のような従来の棚板においては、カバー部材１１２の下面に設けた突条１１４と１１５間の間隔が横部材１１６の太さに合わせて設定されているため、この棚板をストックカートの両棚支持枠体の横部材１１６間に水平に載置する時は、カバー部材１１２に手を添えるなどして突条１１４、１１５の位置を横部材１１６に合わせておかないと、一度で突条１１４と１１５間の間隔を横部材１１６に係合させることができない。
そこで、突条１１５より内側に位置するカバー部材１１２の下面箇所を図１３の２点鎖線に示す横部材１１６上に載せて棚板１１０の一端部を支持した後、新ためて図１３の実線に示すように横部材１１６に突条１１４と１１５間の間隔をを係合し、さらに、棚板１１０の他方のカバー部材１１２の突条間を他方の棚支持枠体の横部材に係合するようにしているが、これでは、棚板の載置操作が面倒になるという問題がある。
【０００４】
一方、多数の棚板１１０を倉庫等で保管する場合は、図１４および図１５に示すように平積みされる。
しかし、棚板１１０を平積みした場合、その下方のカバー部材１１２の上面に上方のカバー部材１１２の外側突条１１４の下端が載置されるだけであるため、安定性が悪く、僅かな振動が平積みされた棚板１１０に作用すると、この平積み棚板１１０が図１５の矢印方向に安易に崩れてしまうという問題がある。
【０００５】
本発明は上記のような従来の問題を解決するもので、本発明の目的は、運搬用台車の棚支持枠体間への載置操作を簡便にした棚板を提供することにある。
また、本発明は、不使用時の棚板を棚支持枠体の側面に安定して保持できる棚板を提供することを目的とする。
さらに、本発明は、崩れのない安定した平積みが可能な棚板を提供することを目的とする。
【０００６】
【課題を解決するための手段】
上記目的を達成するために本発明は、運搬用台車に立設した左右の棚支持枠体間の横部材に差し渡し状態に載置される棚板であって、所定の長さ及び幅を有する板部材と、この板部材の長手方向の両端に相当する小口に装着されたカバー部材を備え、前記カバー部材の下面には前記板部材の幅方向に延在する所定高さの一対の突条を前記板部材の長手方向に前記横部材の太さより十分大きい所定の間隔離して平行に設け、前記一対の突条のうち、内側突条の先端に外側方向へ水平に延在する係止片を設け、前記一対の突条のうち、外側突条の先端に外側方向へ水平に延在する係止片を設け、前記両突条間に位置する前記カバー部材の下面箇所には内側の突条から外側の突条方向に伸びる案内用段部を設け、前記案内用段部と前記外側突条間に位置する前記カバー部材の下面箇所には前記横部材と係合する係合部を設けた、ことを特徴とする。
【０００７】
本発明はまた、前記カバー部材の上面の両端箇所に前記内側突条と同一高さの平積み用設置片をそれぞれ設けたことを特徴とする。本発明はまた、前記カバー部材の長手方向と直角な端面の両端箇所に前記外側突条の係止片と同一長さの設置片をそれぞれ設けたことを特徴とする。
【０００８】
本発明においては、カバー部材の内側突条とその先端に設けた係止片が棚板吊り下げ用の係止部を構成するから、この係止部を棚支持枠体の横部材に引っ掛けることにより、不使用時の棚板を棚支持枠体の側面に吊り下げ状態に保持し、台車本体と一緒に移動できる。従って、棚板が紛失することはない。また、下段の棚板（台車本体）に荷物が載置されていても用済み棚板は棚支持枠体の側面に掛けられる。また、棚支持枠体の両側面のどちらにも掛けられる。また、従来の棚支持枠体に係止フックを設けた棚板に比べ、安価に製造できる。
【０００９】
また、本発明においては、棚板の一方のカバー部材の案内用段部を棚支持枠体の横部材上に載せ、この横部材上で棚板全体を係合部が横部材に係合する方向に移動することで、係合部を横部材に自動的に係合させ、この状態で他方のカバー部材の案内用段部と外側突条間の係合部を棚支持枠体の横部材に係合することにより棚板を棚支持枠体間に載置できる。
よって、本発明によれば、運搬用台車の棚支持枠体間への棚板の載置操作が簡便になる。
さらに、本発明においては、上記係止部を棚支持枠体の横部材に引っ掛けて棚板を棚支持枠体の側面に吊り下げた状態で、下端側のカバー部材の外側突条の係止片を棚支持枠体の横部材に引っ掛けることにより、不使用時の棚板を棚支持枠体の側面に安定して保持できる。
また、本発明においては、カバー部材の上面に平積み用設置片を設けることにより、崩れのない安定した棚板の平積みが可能になる。
また、本発明においては、カバー部材の端面に設置片を設けることにより、カバー部材の外側突条の係止片と協働して棚板を床面上等に立て、壁や空いた台車等に立てかけた状態で安定に保持できる。
【００１０】
【発明の実施の形態】
以下、本発明の実施の形態について、図１〜図１１を参照して説明する。
図１（Ａ）は本発明の実施の形態における棚板の平面図、同図（Ｂ）は図１（Ａ）の正面図、同図（Ｃ）は図１（Ａ）の左側面図である。また、図２は本発明の実施の形態における棚板を表面側から見た一部の拡大斜視図、図３は本発明の実施の形態における棚板のカバー部材の拡大斜視図、図４は本発明の実施の形態における棚板を裏面側から見た一部の拡大斜視図、図５は本発明の実施の形態における棚板を左右の棚支持用枠体間に載置した時の運搬用台車の斜視図、図６は本発明の実施の形態における棚板を棚支持用枠体の横部材に載置する時の説明図、図７は本発明の実施の形態における棚板を不使用時に棚支持用枠体の側面に保持した状態を示す運搬用台車の斜視図、図８は不使用時の棚板を棚支持用枠体の側面に保持する時の説明図である。
【００１１】
まず、図５及び図８により運搬用台車の構成について説明する。
運搬用台車１０は、長方形状の台車本体１１と、この台車本体１１の下面四隅部分にそれぞれ取り付けた４個の自在キャスタ１２及び台車本体１１の下面中間部分に取り付けた２個の固定キャスタ１３と、台車本体１１上の長手方向の両端部分に立設した左右の棚支持用枠体１４を備え、この棚支持用枠体１４には複数の横部材１４１が棚支持用枠体１４の上下方向に所定の間隔で水平に設けられている。
【００１２】
本発明の実施の形態における棚板２０は、図１〜図４及び図５に示すように、運搬用台車１０の棚支持用枠体１４間に差し渡し得る所定長さ、棚支持用枠体１４の幅に対応する所定の幅を有し、かつ所定の厚さを成形された金属製の板部材２１と、この板部材２１の長手方向の両端に相当する小口にそれぞれ装着された一対の合成樹脂製のカバー部材２２を備える。このカバー部材２２はタッピングねじ３１により板部材２１に固定される構成になっている。
【００１３】
上記各カバー部材２２の下面には、図１、図４及び図６に示すように、板部材２１の幅方向に延在する所定高さの一対の突条２３、２４が板部材２１の長手方向に上記棚支持用枠体１４の横部材１４１の太さより十分大きい所定の間隔（横部材１４１の太さの数倍に相当）を離して平行に設けられており、さらに、この両突条２３と２４間に位置するカバー部材２２の下面箇所には、内側の突条２３から外側の突条２４の方向に延在する、突条２３、２４の高さより低い高さの案内用段部２５を設けられている。また、この案内用段部２５の延在端と外側の突条２４間に位置するカバー部材２２の下面箇所には、横部材１４１が係合する係合部２６が形成されている。
【００１４】
また、内側突条２３の先端には、図１、図４及び図６に示すように、突条２３の外側方向（棚板の中央部側方向）へ水平に延在する係止片２７が設けられており、さらに、外側突条２４の先端には外側方向（棚板の中央部側と反対方向）へ水平に延在する係止片２８が設けられている。
なお、図８から明らかなように、係止片２７を含めた内側突条２３の高さは、係止片２８を含めた外側突条２４の高さより僅かに（１〜２ｍｍ程度）低くし、棚板として使用している時に枠体の横部材１４１から離れ難くしている。なお、この内側突条２３と外側突条２４の高さ関係は、これに限定されず、内側突条２３と外側突条２４は同じ高さであってもよい。
上記内側突条２３の係止片２７は、不使用時の棚板２０を図７に示すように棚支持枠体１４の側面に吊り下げ状態に保持するための係止部を構成するものであり、また、上記外側突条２４の係止片２８は、棚板２０を図７に示すように棚支持枠体１４の側面に吊り下げた状態で、棚支持枠体１４の下部側の横部材１４１に引っ掛けることで、不使用時の棚板２０を棚支持枠体１４の側面に安定して保持できるようにするためのものである。
【００１５】
また、上記カバー部材２２の上面の両端箇所には、図１〜図３及び図６に示すように、突条２３、２４と同一高さの複数の平積み用設置片２９がそれぞれ設けられている。
また、上記カバー部材２２の長手方向と直角な端面２２１の両端箇所には、図１〜図３及び図６に示すように、外側突条２４の係止片２８と同一長さの複数の設置片３０がそれぞれ設けられている。この設置片３０は、棚板２０を床面上等に立てた状態に保持するためのものである。
【００１６】
上記のように構成された実施の形態において、運搬用台車１０の棚支持枠体１４間に棚板２０を差し渡し状態に載置する場合は、まず、棚板２０の一方のカバー部材２２の案内用段部２５を図６の２点鎖線に示す棚支持枠体の横部材１４１上に載せ、この状態で棚板２０全体を図６の合する矢印Ａ方向に移動する。これにより、カバー部材２２の係合部２６は図６の実線に示す横部材１４１に自動的に係合される。この状態では棚板２０の他方のカバー部材２２の係合部２６が棚支持枠体１４の横部材１４１と相対向する位置にあるため、棚板２０の他方のカバー部材２２を横部材１４１に載せるだけで係合部２６を横部材１４１に係合できる。これにより、図６に示すように棚板２０を左右の棚支持枠体１４間に指し渡し状態に載置することができる。
【００１７】
したがって、本実施の形態に示す棚板によれば、棚板２０の小口カバー部材２２の下面に設けた内側突条２３と外側突条２４間の間隔を棚支持枠体１４の横部材１４１の太さの数倍に形成し、そして、この内側突条２３と外側突条２４間に位置するカバー部材２２の下面箇所には、横部材１４１の案内用段部２５と係合部２６を設ける構成にしたので、従来のようにカバー部材２２の係合部２６を棚支持枠体１４の横部材１４に位置合わせする必要がなく、カバー部材２２の下面を横部材１４１上に載せるだけで横部材１４１を内側突条２３と外側突条２４間に確実に位置させることができる。その結果、運搬用台車の棚支持枠体間への棚板の載置操作を簡便に行うことができる。
【００１８】
不使用時の棚板を棚支持枠体の側面に保持する場合は、図７及び図８に示すように、棚板２０の一端側のカバー部材２２の内側突条２３とその先端に設けた係止片２７により形成される係止部分を棚支持枠体１４の上端部に位置する横部材１４１に引っ掛け、棚板２０全体を吊り下げ状態に保持する。そして、棚板２０の他端側のカバー部材２２の外側突条２４の先端に設けた係止片２８を棚支持枠体１４の下端部に位置する横部材１４１に引っ掛ける。
これにより、不使用時の棚板２０を棚支持枠体１４の側面に吊り下げ状態に保持できるとともに、運搬用台車の移動時に際しても吊り下げ状態の棚板２０が揺動したり、ガタツキ騒音を生じさせることなく安定して棚支持枠体の側面に保持することができる。
【００１９】
次に、図９及び図１０により本発明の実施の形態における棚板を多数平積みする場合について説明する。
この場合は、図９及び図１０に示すように、下側の棚板２０の上面に上側の棚板２０下面が対向するようにして棚板２０を積み重ねる。これにより、下側にあるカバー部材２２の平積み用設置片２９の上端縁が上側にあるカバー部材２２の下面に左右箇所で当接し、かつ上側にあるカバー部材２２の係止片２７が下側にある棚板２０の板部材２１の上面に当接する。この時、上側にあるカバー部材２２の外側突条２４の先端部分が下側にあるカバー部材２２の上面縁部に形成した切欠き部２２２（図９参照）に係合されるため、平積みされた棚板２０間の長手方向の相対的ずれを防止する。
したがって、この実施の形態によれば、カバー部材２２の上面に平積み用設置片２９を設けることにより、崩れのない安定した棚板の平積みが可能になる。
【００２０】
次に、図１１により本発明の実施の形態における棚板を床面上等に縦起きする場合について説明する。
この場合は、図１１に示すように、カバー部材２２の外側突条２４の係止片２８及び設置片３０を下側にして床面３３上に置く。
これにより、カバー部材の設置片３０と係止片２８が協働して棚板２０は床面３０上に鉛直に立てられた状態に保持することができる。
【００２１】
【発明の効果】
以上の説明から明らかなように本発明によれば、カバー部材の内側突条とその先端に設けた係止片が棚板吊り下げ用の係止部を構成するから、この係止部を棚支持枠体の横部材に引っ掛けることにより、不使用時の棚板を棚支持枠体の側面に吊り下げ状態に保持し、台車本体と一緒に移動できる。従って、棚板が紛失することはない。また、下段の棚板（台車本体）に荷物が載置されていても用済み棚板は棚支持枠体の側面に掛けられる。また、棚支持枠体の両側面のどちらにも掛けられる。また、従来の棚支持枠体に係止フックを設けた棚板に比べ、安価に製造できる。
【００２２】
また、本発明によれば、棚板の小口カバー部材の下面に設けた内側突条と外側突条間の間隔を棚支持枠体の横部材の太さの数倍に形成し、そして、この内側突条と外側突条間に位置するカバー部材の下面箇所は、横部材の案内用段部と係合部を設ける構成にしたので、カバー部材の係合部を棚支持枠体の横部材にいちいち位置合わせする必要がなく、カバー部材の下面を横部材上に載せるだけで横部材を内側突条と外側突条間に確実に位置させることができ、これにより、運搬用台車の棚支持枠体間への棚板の載置操作を簡便に行うことができる。
【００２３】
また、本発明によれば、上記係止部を棚支持枠体の横部材に引っ掛けて棚板を棚支持枠体の側面に吊り下げた状態で、下端側のカバー部材の外側突条の係止片を棚支持枠体の横部材に引っ掛けることにより、不使用時の棚板を棚支持枠体の側面に安定して保持することができる。
また、本発明によれば、カバー部材の上面に平積み用設置片を設けることにより、崩れのない安定した棚板の平積みが可能になる。
また、本発明においては、カバー部材の端面に設置片を設けることにより、カバー部材の外側突条の係止片と協働して棚板を床面上等に立て、壁や空いた台車等に立てかけた状態で安定に保持できる。
【図面の簡単な説明】
【図１】（Ａ）は本発明の実施の形態における棚板の平面図、（Ｂ）は（Ａ）の正面図、（Ｃ）は（Ａ）の左側面図である。
【図２】本発明の実施の形態における棚板を表面側から見た一部の拡大斜視図である。
【図３】本発明の実施の形態における棚板のカバー部材の拡大斜視図である。
【図４】本発明の実施の形態における棚板を裏面側から見た一部の拡大斜視図である。
【図５】本発明の実施の形態における棚板を左右の棚支持用枠体間に載置した時の運搬用台車の斜視図である。
【図６】本発明の実施の形態における棚板を棚支持用枠体の横部材に載置する時の説明図である。
【図７】本発明の実施の形態における棚板を不使用時に棚支持用枠体の側面に保持した状態を示す運搬用台車の斜視図である。
【図８】本発明の実施の形態における棚板を不使用時に棚支持用枠体の側面に保持する時の説明図である。
【図９】本発明の実施の形態における棚板を平積みした時の要部の拡大側面図である。
【図１０】本発明の実施の形態における棚板を平積みした時の側面図である。
【図１１】本発明の実施の形態における棚板を縦置きした時の説明図である。
【図１２】（Ａ）は従来における棚板の一部の平面図、（Ｂ）は（Ａ）の正面図、（Ｃ）は（Ａ）の左側面図である。
【図１３】従来における棚板を棚支持用枠体の横部材に載置する時の説明図である。
【図１４】従来における棚板を平積みした時の要部の拡大側面図である。
【図１５】従来における棚板を平積みした時の側面図である。
【符号の説明】
１０  運搬用台車
１４  棚支持用枠体
１４１  横部材
２０  棚板
２１  板部材
２２  カバー部材
２３  内側突条
２４  外側突条
２５  案内用段部
２６  係合部
２７、２８  係止片
２９  平積み用設置片
３０  設置片
【図１】
0004289572.tif 000002
【図２】
0004289572.tif 000003
【図３】
0004289572.tif 000004
【図４】
0004289572.tif 000005
【図５】
0004289572.tif 000006
【図６】
0004289572.tif 000007
【図７】
0004289572.tif 000008
【図８】
0004289572.tif 000009
【図９】
0004289572.tif 000010
【図１０】
0004289572.tif 000011
【図１１】
0004289572.tif 000012
【図１２】
0004289572.tif 000013
【図１３】
0004289572.tif 000014
【図１４】
0004289572.tif 000015
【図１５】
0004289572.tif 000016